(57)【特許請求の範囲】
【請求項１】
長さ調整可能な支持桁の一端部にベランダ等の天井面と建物外壁面とのコーナー部に係合する係合部材を、その他端部には手摺りの上端部に係合する係合部材を夫々角度変更可能に取り付けると共に、支持桁の長手方向に沿って移動可能な吊り手段掛止部材を支持桁の所要位置で固定可能に取り付け、上記支持桁を長さ調整して両端部の係合部材を天井面と建物外壁面とのコーナー部及び手摺りの上端部に夫々係合させた状態で、吊り手段掛止部材の被掛止部に吊り手段を掛止して、この吊り手段を介して空調室外機をベランダの床面から所要高さに吊り上げるようにしてなる空調室外機吊り上げ装置。
【請求項２】
前記吊り手段は、吊り手段掛止部材の被掛止部に掛止されるチェーン等の索条、及びその索条に連結され、手動レバー操作によって索条を巻き取る手動巻取具からなる請求項１に記載の空調室外機吊り上げ装置。
【請求項３】
前記吊り手段は、上端部が吊り手段掛止部材の被掛止部に掛止される吊り棒を含む請求項１又は２に記載の空調室外機吊り上げ装置。
【請求項４】
前記支持桁は、互いに入れ子式に嵌合されて伸縮可能な複数本の桁部材からなり、桁部材相互が所要伸縮位置で締付ねじ具によって締め付け固定されるようになっている請求項１〜３の何れかに記載の空調室外機吊り上げ装置。
【請求項５】
前記吊り手段掛止部材は、支持桁を構成する複数本の桁部材の所要の桁部材にスライド可能に取り付けられた掛止部材本体と、この掛止部材本体を所要位置で桁部材に締め付け固定する締付ねじ具と、掛止部材本体に設けられた被掛止部と、からなる請求項４に記載の空調室外機吊り上げ装置。
【請求項６】
前記各係合部材は断面略Ｌ字形の係合部材本体を有し、前記支持桁の一端部に取り付けられる係合部材のＬ字形係合部材本体は、その内隅部に取付部片が固着されて、この取付部片が支持桁の一端部に枢着され、支持桁の他端部に取り付けられる係合部材のＬ字形係合部材本体は、その外隅部に取付部片が固着されて、この取付部片が支持桁の他端部に枢着されてなる請求項１〜５の何れかに記載の空調室外機吊り上げ装置。
【請求項７】
前記各係合部材のＬ字形係合部材本体の係合面にはクッションシートが装着されている請求項１〜６の何れかに記載の空調室外機吊り上げ装置。
【発明の詳細な説明】
【０００１】
【発明の属する技術分野】
この発明は、マンション等の建物のベランダやバルコニーに設置されている空調室外機を建物改修工事の一定期間だけ床面から所要高さに吊り上げるための空調室外機吊り上げ装置に関する。
【０００２】
【従来の技術及びその課題】
既設マンション等におけるベランダやバルコニーのコンクリート製床の表面を例えば塩化ビニールシートに張り替える工事を行う場合、ベランダ等に空調室外機が設置してあると、邪魔になって張替工事が行えないため、その張替工事が終了するまで空調室外機を床面から所要高さまで吊り上げておく必要がある。尚、この吊り上げに代えて、空調室外機を置台金物によって床面から所要高さ嵩上げすることがあるが、この嵩上げ方法では置台金物自体が床面に接地するため、作業が困難となる上に、張替工事の最終段階で防水工事を行う際に手直し工事が発生するなどの問題があり、また空調室外機を室内に保管しようとすれば、冷媒配管を取り外さなければならないため、余分な費用がかかることになる。
【０００３】
然るに、従来、空調室外機を、床面から所要高さに吊り上げるにあたっては、ベランダ等の天井スラブに孔を明けてフックボルトを打ち込み、このフックボルトにロープを掛止して、このロープで空調室外機を吊り上げのようにしている。しかしながら、この方法では、コンクリートの天井スラブにドリルで孔をドリルで明ける必要があり、また改修工事の済めば、フックボルトを抜き取って、そのボルト孔をモルタルで塞ぎ、補修する必要があため、可なり手間がかかる上に、孔明け時に発生する騒音が大きな問題となっている。
【０００４】
本発明は、従来のような騒音の問題がなく、しかも短時間で容易に空調室外機の吊り上げを行える空調室外機吊り上げ装置を提供することを目的とする。
【０００５】
【課題を解決するための手段】
請求項１に係る発明の空調室外機吊り上げ装置は、長さ調整可能な支持桁１の一端部にベランダ等の天井面８と建物外壁面９とのコーナー部１０に係合する係合部材２を、その他端部には手摺り１２の上端部に係合する係合部材３を夫々角度変更可能に取り付けると共に、支持桁１の長手方向に沿って移動可能な吊り手段掛止部材４を支持桁１の所要位置で固定可能に取り付け、上記支持桁１を長さ調整して両端部の係合部材２，３を天井面８と建物外壁面９とのコーナー部１０及び手摺り１２の上端部に夫々係合させた状態で、吊り手段掛止部材４の被掛止部１９又は２０に吊り手段６を掛止して、この吊り手段６を介して空調室外機７をベランダの床面１３から所要高さに吊り上げるようにしてなることを特徴とする。
【０００６】
請求項２は、請求項１に記載の空調室外機吊り上げ装置において、前記吊り手段６は、吊り手段掛止部材４の被掛止部１９に掛止されるチェーン等の索条２１〜２３、及びその索条２２に連結され、手動レバー操作によって索条２２を巻き取る手動巻取具２４からなることを特徴とする。
【０００７】
請求項３は、請求項１又は２に記載の空調室外機吊り上げ装置において、前記吊り手段６は、上端部が吊り手段掛止部材４の被掛止部２０に掛止される吊り棒５を含むことを特徴とする。
【０００８】
請求項４は、請求項１〜３の何れかに記載の空調室外機吊り上げ装置において、前記支持桁１は、互いに入れ子式に嵌合されて伸縮可能な複数本の桁部材１４，１５からなり、桁部材１４，１５相互が所要伸縮位置で締付ねじ具１６によって締め付け固定されるようになっていることを特徴とする。
【０００９】
請求項５は、請求項４に記載の空調室外機吊り上げ装置において、前記吊り手段掛止部材４は、支持桁１を構成する複数本の桁部材１４，１５の所要の桁部材１４にスライド可能に取り付けられた掛止部材本体１７と、この掛止部材本体１７を所要位置で桁部材１４に締め付け固定する締付ねじ具１８と、掛止部材本体１７に設けられた被掛止部１９，２０と、からなることを特徴とする。
【００１０】
請求項６は、請求項１〜５の何れかに記載の空調室外機吊り上げ装置において、前記各係合部材２，３は断面略Ｌ字形の係合部材本体３６，３７を有し、前記支持桁１４の一端部に取り付けられる係合部材２のＬ字形係合部材本体３６は、その内隅部に取付部片３８が固着されて、この取付部片３８が支持桁１４の一端部に枢着され、支持桁１の他端部に取り付けられる係合部材３のＬ字形係合部材本体３７は、その外隅部に取付部片３９が固着されて、この取付部片３９が支持桁１５の他端部に枢着されてなることを特徴とする。
【００１１】
請求項７は、請求項１〜６の何れかに記載の空調室外機吊り上げ装置において、前記各係合部材２，３のＬ字形係合部材本体３６，３７の係合面にはクッションシート４１が装着されていることを特徴とする。
【００１２】
【発明の実施の形態】
図１は本発明に係る空調室外機吊り上げ装置の使用状態を示す全体斜視図、図２は同吊り上げ装置の支持桁を示す正面図、図３の（Ａ）は同吊り上げ装置の使用状態を示す要部拡大正面図、（Ｂ）は（Ａ）の矢示Ａから見た側面図である。本発明の空調室外機吊り上げ装置は、図１から分かるように、長さ調整可能な支持桁１の一端部に、ベランダの天井面８と建物の躯体外壁面９とのコーナー部１０に係合する係合部材２を、その他端部に、手摺り１１の上横枠１２に係合する係合部材３を夫々角度変更可能に取り付けると共に、支持桁１の長手方向に沿って移動可能な吊り手段掛止部材４を支持桁１の所要位置で固定可能に取り付け、しかして支持桁１を適宜に長さ調整して両端部の係合部材２，３を天井面８と躯体外壁面９とのコーナー部１０及び手摺り１１の上横枠１２に夫々係合させた状態で、吊り手段掛止部材４の被掛止部１９又は２０に吊り手段６を掛止し、この吊り手段６を介して空調室外機７をベランダの床面１３から所要高さに吊り上げるようにしたものである。
【００１３】
この空調室外機吊り上げ装置の構造について更に詳しく説明すると、先ず、支持桁１は、図２及び図４に示すように、互いに入れ子式に嵌合されて伸縮可能な２本の桁部材１４，１５からなり、一方の桁部材１４は角筒状鋼管により、また他方の桁部材１５は桁部材１４より径小の角筒状鋼管により形成されたもので、桁部材１４内に桁部材１５がスライド自在に嵌合されていて、桁部材１４下側面の複数箇所にその管壁を貫通して螺装された締付ねじ具１６を締め付けることにより、両桁部材１４，１５を互いに固定して、支持桁１の長さを所望に調整できるようになっている。各締付ねじ具１６は、桁部材１４の下側面に固着されたナット１６ａと、これに螺合され、桁部材１４の管壁を貫通して桁部材１５に先端が当接する蝶ボルト１６ｂとからなる。
【００１４】
吊り手段掛止部材４は、図２〜図４に示すように、上記支持桁１の径大側桁部材１４にスライド可能に外嵌された角筒状の掛止部材本体１７と、この掛止部材本体１７を所要位置で桁部材１４に締め付け固定する締付ねじ具１８と、掛止部材本体１７の下側面に設け被掛止部１９，２０とによって構成される。締付ねじ具１８は、掛止部材本体１７の上側面に固着されたナット１８ａと、これに螺合され、掛止部材本体１７の側壁を貫通して桁部材１４に先端が当接する蝶ボルト１８ｂとからなる。また、被掛止部１９はアーチ状に形成され、被掛止部２０はフック形に形成されたものである。
【００１５】
支持桁１の両端部に取り付けてある係合部材２，３は、夫々断面略Ｌ字形の鋼板製係合部材本体３６，３７を有する。そして、支持桁１の外端部、即ち桁部材１４の一端部に取り付けられる係合部材２のＬ字形係合部材本体３６は、図５の（Ａ）に示すように、その内隅部に鋼板製の取付部片３８が溶接にて固着され、この取付部片３８が桁部材１４の外端部にボルト４０で回動できるように枢着され、また支持桁１の他端部、即ち桁部材１５の外端部に取り付けられる係合部材３のＬ字形係合部材本体３７は、図５の（Ｂ）から分かるように、その外隅部に鋼板製の取付部片３９が溶接にて固着され、この取付部片３９が桁部材１５の外端部にボルト４０で回動できるように枢着されている。また、係合部材本体３６，３７の夫々の係合面にはゴム材や軟質合成樹脂材等からなるクッションシート４１が装着されている。
【００１６】
また、吊り手段６は、図１及び図３に示すように、吊り手段掛止部材４の被掛止部１９に掛止されて垂下される第１索条２１と、この第１索条２１の下端部に手動巻取具２４を介して連結される第２索条２２と、この第２索条２２に掛止されて垂下され、空調室外機７に直接引っ掛けるための第３索条２３と、から構成され、第１索条２１〜第３索条２３は、夫々リンクチェーンからなる。
【００１７】
吊り手段６の第１索条２１は、その上端部に取り付けられたリング２５を介して吊り手段掛止部材４の被掛止部１９に掛止される。手動巻取具２４は、例えばチェーンレバーホイストからなるもので、図３（Ａ）及び（Ｂ）に示すように、フック２７を第１索条２１の下端部に設けてあるリング２６に掛止させ、ラチェットホイール２８に第２索条２２の一端部２２ａ側を掛装すると共に、第２索条２２の他端部に取り付けたフック３０を第１索条２１の下端所要部に掛止して、この第２索条２２を無端状とした状態で、レバー２７を手で揺動操作してラチェットホイール２６をチェーン巻取方向に回転させることにより、この無端状第２索条２２の長さを短くするように巻き取ることができる。また、切換爪３１を切り換えて、ラチェットホイール２６を逆転させるようにすれば、第２索条２２を巻き戻す（無端状の長さを伸ばす）ことができる。
【００１８】
第３索条２３は、リング３２によって第２索条２２に連結されるもので、図１に示すように、両端部にフック３３，３３が取り付けられていて、この両フック３３，３３を空調室外機７の両端上部に設けてある掛止孔３４，３４に掛止させることによって、空調室外機７を吊り上げできるようになっている。
【００１９】
上記のように構成される空調室外機吊り上げ装置の使用にあたっては、図１に示すように、支持桁１の桁部材１４，１５を適宜伸縮させて、その一端側の係合部材２をベランダの天井面８と躯体外壁面９とのコーナー部１０に係合させると共に、他端側の係合部材３を手摺り１１の上横枠１２に係合させ、この状態で締付ねじ具１６を締め付けて両桁部材１４，１５を互いに固定し、それにより支持桁１を建物躯体側と手摺り１２側とに亘って張架する。この場合、各係合部材２，３の係合部材本体３６，３７の係合面にゴム材や軟質合成樹脂材等からなるクッションシート４１が装着されているから、この係合部材２，３を上記コーナー部１０や手摺り１１の上横枠１２に係合させる際に、金属音等の不快な騒音を生ずることがなく、またそのコーナー部１０や手摺り１１の上横枠１２を傷付けることもなく、そのうえ係合部材２，３が滑りを生ずることなく、係合位置に的確に固定されて、支持桁１を使用位置に安定状態に固定できる。
【００２０】
吊り手段掛止部材４は、支持桁１を上記のように建物躯体側と手摺り１２側とに張架した後でもよいし、張架する前でもよいが、ベランダ床面１３上に設置された空調室外機７の直上位置に対応する位置に桁部材１４に沿って移動調整して締付ねじ具１８で固定する。この吊り手段掛止部材４の被掛止部１９に掛止されている吊り手段６は、第２索条２２が十分な長さに伸ばされた状態にあるから、第３索条２３の両端フック３３，３３を、ベランダ床面１３上に設置されている空調室外機７の掛止孔３４，３４に係入させ、この状態で手動巻取具２４をレバー２７操作することにより、第２索条２２がその長さを短くするように巻き取られ、それによって空調室外機７をベランダ床面１３から所要高さまで吊り上げることができる。
【００２１】
この空調室外機吊り上げ装置を使用して空調室外機７を吊り上げるには、上記のように、支持桁１を長さ調整して建物躯体側と手摺り１２側とに亘り張架し、この支持桁１の所要位置に固定した吊り手段掛止部材４から垂下される吊り手段６の第３索条２３のフック３３を空調室外機７に引っ掛けて、巻取具２４のレバー２７操作により第２索条２２を巻き上げればよいから、一人の作業者で短時間に空調室外機７の吊り上げを行うことができる。また、この吊り上げ装置によると、ベランダ床面１３上に設置されている空調室外機７をその設置位置からそのまま真上に吊り上げることができるため、冷媒配管４２も既存のままの状態でよく、従って空調機は運転可能となる。
【００２２】
ベランダ床面１３の改装工事が終了して、空調室外機７を改装されたベランダ床面１３上に下ろす際には、手動巻取具２４の切換爪３１を切り換えて、ラチェットホイール２６が逆転するようにレバー２９操作すれば、第２索条２２が巻き戻されて長さが伸び、それによって空調室外機７を床面１３上に下ろすことができる。その後、締付ねじ具１６を緩めて支持桁１を収縮させることより、支持桁１を取り外すことができる。
【００２３】
図６は、本発明の他の実施形態による空調室外機吊り上げ装置を示すもので、先の実施形態では、吊り手段６を、第１索条２１、この第１索条２１の下端部に手動巻取具２４を介して連結される第２索条２２と、この第２索条２２に掛止されて垂下される第３索条２３とから構成しているのに対し、この図６の吊り上げ装置では、第１索条２１に代えて、剛性体からなる吊り棒５を使用し、この吊り棒５の上端フック５ａを吊り手段掛止部材４の被掛止部２０（被掛止部１９でもよい）に掛止させ、この吊り棒５の下端フック５ｂには、第２索条２２に連結された手動巻取具２４のフック２７を直接掛止するか、又は図示のようにリング２６を介して掛止するようにしたもので、他の構成及び吊り上げ操作については、前述した先の実施形態の吊り上げ装置と同様である。
【００２４】
しかして、図６の吊り上げ装置を使用して空調室外機７を吊り上げる際には、支持桁１を建物躯体側と手摺り１２側とに亘って張架した後、この支持桁１の所要位置に固定した吊り手段掛止部材４の被掛止部２０に吊り棒５の上端フック５ａを掛止させ、それからこの吊り棒５の下端フック５ｂに、第２索条２２に連結された手動巻取具２４のフック２７を直接又はリング２６を介して掛止するようにすればよい。この場合には、吊り手段６（吊り棒５、手動巻取具２４付き第２索条２２、及び第３索条２３）が支持桁１と分離しているから、作業がし易く、また吊り棒５はチェーンと違って剛体であるため、吊り手段掛止部材４への引っ掛け操作が容易となる。
【００２５】
以上説明した実施形態では、吊り手段６を、吊り手段掛止部材４の被掛止部１９に掛止されて垂下される第１索条２１と、第１索条２１の下端部に手動巻取具２４を介して連結される第２索条２２と、第２索条２２に掛止されて垂下され、空調室外機７に直接引っ掛けるための第３索条２３とによって構成しているが、吊り手段掛止部材４の被掛止部１９に掛止されると共に手動巻取具２４に連結された索条と、この索条に連結され、空調室外機７に直接引っ掛けられる索条との２つの索条によって構成してもよい。
【００２６】
また、以上の実施形態では、索条としてチェーンを使用しているが、チェーンに代えてワイヤーを使用してもよい。また、チェーンの場合は、図示のようなリンクチェーンに限らず、ローラチェーンでもよい。
【００２７】
また、以上の実施形態では、吊り手段６に手動巻取具２４を使用し、この手動巻取具２４によって索条２２を巻き取るようにするから、空調室外機７の吊り上げ作業を一人で簡単容易に短時間で行うことができるわけであるが、このような手動巻取具２４を使用せず、チェーンやワイヤー、更にはロープや紐からなる１本又は複数本の索条を使用して、空調室外機７を保持すると共に、この空調室外機７を所要高さ持ち上げた状態で、その索条の上端側を支持桁１の吊り手段掛止部材４に掛止させることによって、空調室外機７をベランダ等の床面から所要高さ吊り上げるようにしてもよい。
【００２８】
【発明の効果】
請求項１に係る発明の空調室外機吊り上げ装置によると、その使用にあたり、支持桁を長さ調整して両端部の係合部材を天井面と建物外壁面とのコーナー部及び手摺りの上端部に夫々係合させた状態で、吊り手段掛止部材の被掛止部に吊り手段を掛止して、この吊り手段を介して空調室外機をベランダの床面から所要高さに吊り上げるから、天井スラブに孔を明けてフックボルトを打ち込み、そのフックにロープを掛止させて空調室外機を吊り上げるようにする従来方法に比べ、本発明の吊り上げ装置を使用すれば、短時間で、しかもほとんど無騒音の状態で空調室外機の吊り上げを行うことができ、また穴埋め等の補修作業も不要となるから施工コストの低減を図ることができる。
【００２９】
請求項２によると、吊り手段が、吊り手段掛止部材の被掛止部に掛止される索条、及びこの索条に連結され、手動レバー操作によって索条を巻き取る手動巻取具からなるため、一人の作業者で短時間で楽に空調室外機の吊り上げを行うことができる。
【００３０】
請求項３によると、吊り手段掛止部材の被掛止部に掛止される吊り棒を有するから、吊り手段掛止部材の被掛止部に吊り棒の上端部を掛止させ、この吊り棒の下端部に索条を掛止させて、この索条によって空調室外機を吊り上げるようにすれば、吊り上げ作業を容易に行うことができ、またこの場合、手動巻取具を使用することによって、その吊り上げ作業を楽に行うことができる。
【００３１】
請求項４によれば、支持桁は、互いに入れ子式に嵌合されて伸縮可能な複数本の桁部材からなり、桁部材相互が所要伸縮位置で締付ねじ具によって締め付け固定されるようになっているから、支持桁の長さ調整を簡単容易に行うことができる。
【００３２】
請求項５によれば、吊り手段掛止部材は、所要の桁部材にスライド可能に取り付けられた掛止部材本体と、掛止部材本体を所要位置で桁部材に締め付け固定する締付ねじ具と、掛止部材本体に設けられた被掛止部とからなるため、吊り手段掛止部材の位置調整を簡単容易に行うことができる。
【００３３】
請求項６によれば、各係合部材は断面略Ｌ字形の係合部材本体を有し、支持桁の一端部に取り付けられる係合部材のＬ字形係合部材本体は、その内隅部に取付部片が固着されて、この取付部片が支持桁の一端部に枢着され、支持桁の他端部に取り付けられる係合部材のＬ字形係合部材本体は、その外隅部に取付部片が固着されて、この取付部片が支持桁の他端部に枢着されているから、各係合部材を簡単な構造にして容易に製作できると共に、両係合部材を天井面と建物外壁面とのコーナー部及び手摺りの上端部に夫々容易に係合させることができる。
【００３４】
請求項７によれば、各係合部材のＬ字形係合部材本体の係合面にクッションシートが装着されているから、係合部材を天井面と建物外壁面とのコーナー部や手摺りの上端部に係合させる際に、金属音等の不快な騒音を生ずることがなく、そのコーナー部や手摺りの上端部を傷付けることもなく、しかも係合部材が滑りを生ずることなく、係合位置に的確に固定されて、支持桁を使用位置に安定状態に固定させることができる。
【図面の簡単な説明】
【図１】  本発明に係る空調室外機吊り上げ装置の使用状態を示す全体斜視図である。
【図２】  同吊り上げ装置の支持桁を示す正面図である。
【図３】  （Ａ）は同吊り上げ装置の使用状態を示す要部拡大正面図であり、（Ｂ）は（Ａ）の矢示Ｗから見た側面図である。
【図４】  （Ａ）は図２のＸ−Ｘ線拡大断面図、（Ｂ）は図２のＹ−Ｙ線拡大断面図である。
【図５】  （Ａ）は支持桁の一端部側の係合部材を示す拡大斜視図、（Ｂ）は他端側の係合部材を示す拡大斜視図である。
【図６】  他の実施形態による空調室外機吊り上げ装置の使用状態を示す要部拡大正面図である。
【符号の説明】
１              支持桁
２，３          係合部材
４              吊り手段掛止部材
５              吊り棒
６              吊り手段
７              空調室外機
８              天井面
９              建物外壁面
１０            天井面と建物外壁面とのコーナー部
１１            手摺り
１３            ベランダの床面
１４，１５      支持桁の桁部材
１６            締付ねじ具
１８            締付ねじ具
１９，２０      吊り手段掛止部材の被掛止部
２１            第１索条
２２            第２索条
２３            第３索条
２４            手動巻取具
３６，３７      係合部材本体
３８，３９      取付部片
４１            クッションシート
【図１】
0003806316.tif 000002
【図２】
0003806316.tif 000003
【図３】
0003806316.tif 000004
【図４】
0003806316.tif 000005
【図５】
0003806316.tif 000006
【図６】
0003806316.tif 000007